(57)【要約】【課題】２次電池への充電タイミングを制御し、充電が必要な場合に必要時間のみ充電を行うことで、充電回路および２次電池への充電電流で消費する電力を削減することが可能な画像処理装置を提供する。【解決手段】画像処理装置は、ファクシミリ機能を備えた画像処理装置であって、ファクシミリの送受信内容を記憶するメモリと、画像処理装置への電源が切断された場合に副次的な電源をメモリに供給する電池と、電池の残量を検出する電池残量検出手段と、電池残量検出手段により検出された電池の残量とメモリに記憶された送受信内容とから電池の充電要否および必要な充電時間を算出する充電時間算出手段と、充電時間算出手段により算出された必要な充電時間に応じて電池を充電する充電手段と、を有し、前記充電手段は、電池への充電が必要な場合に電池を充電することを特徴とする。【選択図】図１
2012195768.tif 000002
【特許請求の範囲】
【請求項１】
ファクシミリ機能を備えた画像処理装置であって、
ファクシミリの送受信内容を記憶するメモリと、
前記画像処理装置への電源が切断された場合に副次的な電源を前記メモリに供給する電池と、
前記電池の残量を検出する電池残量検出手段と、
前記電池残量検出手段により検出された電池の残量と前記メモリに記憶された送受信内容とから前記電池の充電要否および必要な充電時間を算出する充電時間算出手段と、
前記充電時間算出手段により算出された必要な充電時間に応じて前記電池を充電する充電手段と、を有し、
前記充電手段は、前記電池への充電が必要な場合に前記電池を充電することを特徴とする画像処理装置。
【請求項２】
前記画像処理装置の操作を行う操作表示画面を更に有し、
前記電池への充電状況および警告を前記操作表示画面に表示することを特徴とする請求項１に記載の画像処理装置。
【請求項３】
ファクシミリの送受信実施を制御する送受信制御手段を更に有し、
前記送受信制御手段は、前記電池への充電完了前に前記ファクシミリが受信した場合には、受信時に前記ファクシミリの受信内容を紙出力させることを特徴とする請求項１または２に記載の画像処理装置。
【請求項４】
前記充電時間算出手段は、前記ファクシミリの送受信時刻の設定が複数されている場合には、充電効率の点から最適な時刻を選択し、前記最適な時刻の送受信実施に必要な前記電池の充電時間を算出し、前記送受信制御手段は、前記充電時間算出手段が選択した前記最適な時刻に前記ファクシミリの複数の送受信を実施することを特徴とする請求項１から３のいずれか１項に記載の画像処理装置。
【請求項５】
前記送受信制御手段は、前記電池への充電完了前に充電電力切断の指示がされた場合は、前記電池への充電完了後にユーザが指定したファクシミリの送受信を実施することを特徴とする請求項１から４のいずれか１項に記載の画像処理装置。
【発明の詳細な説明】
【技術分野】
【０００１】
本発明は２次電池への充電タイミングおよび充電時間を制御することで消費電力の削減が可能な画像処理装置に関する。
【背景技術】
【０００２】
昨今、画像処理装置においては、経済的な観点や、環境保護の観点等から消費電力の削減が要求されている。
【０００３】
ファクシミリ（以下ＦＡＸ）機能を備える画像処理装置についても同じであり、その機能を発揮しつつも消費電力を抑えることが要求されている。
【０００４】
ＦＡＸ機能を備える画像処理装置においては、ＦＡＸジョブ（ＦＡＸの送受信内容・件数・送受信時刻等）をあらかじめシステムメモリ内に格納しておき、任意の時間にＦＡＸジョブを実行するタイマー機能を有するものがある。
【０００５】
当該装置の機能の一つとして、停電、あるいは装置の電源コードの抜けなどにより、画像処理装置の電源が切断された場合に、システムメモリ内に格納されているＦＡＸジョブの消去を回避するため、電源切断時に主電源から２次電池への電源切り替えを行う機能（ＦＡＸジョブをバックアップする機能）が既に知られている。
【０００６】
しかしながら、従来の画像処理装置におけるＦＡＸジョブのバックアップ機能は、主電源が通電されている間については、常に２次電池への充電を行うものであった。
【０００７】
そのため、２次電池の充電回路および電池への充電電流により、常に電力が消費されてしまうという問題が生じていた。
【０００８】
このような問題を解決する技術としては、下記のものがある。
【０００９】
特許文献１には、２次電池への充電時に充電の進行状況を監視することで、充電の進行状況に応じて２次電池に供給する電力量が適正となるよう調整を行う画像処理装置が記載されている。２次電池へ供給する電力量の調整は、送電装置の発振回路の発振周波数を変更することで実現している。
【００１０】
特許文献１に記載の技術によれば、充電の進行状況により充電に必要な電力量を
制御し、充電の消費電力を節電することが可能となる。
【発明の概要】
【発明が解決しようとする課題】
【００１１】
しかし、上記従来技術においては下記の問題が存在している。
【００１２】
特許文献１に記載の技術は充電の進行状況の監視のみで充電を制御しているため、ユーザが設定したＦＡＸジョブの内容（ＦＡＸジョブを行う時間やＦＡＸジョブ件数等）が考慮されていない。そのためＦＡＸジョブの内容から充電が不要な場合についても充電を行ってしまい、結果として節電効果が不十分であるという問題が存在する。
【００１３】
本発明は、上記問題点に鑑みてなされたものであり、２次電池への充電タイミングを制御し、充電が必要な場合に必要時間のみ充電を行うことで、充電回路および２次電池への充電電流で消費する電力を削減することが可能な画像処理装置を提供することを目的とする。
【課題を解決するための手段】
【００１４】
本発明の画像処理装置は、ファクシミリ機能を備えた画像処理装置であって、ファクシミリの送受信内容を記憶するメモリと、前記画像処理装置への電源が切断された場合に副次的な電源を前記メモリに供給する電池と、前記電池の残量を検出する電池残量検出手段と、前記電池残量検出手段により検出された電池の残量と前記メモリに記憶された送受信内容とから前記電池の充電要否および必要な充電時間を算出する充電時間算出手段と、前記充電時間算出手段により算出された必要な充電時間に応じて前記電池を充電する充電手段と、を有し、前記充電手段は、前記電池への充電が必要な場合に前記電池を充電することを特徴とする。
【発明の効果】
【００１５】
本発明によれば、２次電池への充電タイミングを制御し、充電が必要な場合に必要時間のみ充電を行うことによって、充電回路および２次電池への充電電流で消費する電力を削減することが可能な画像処理装置を提供することができる。
【図面の簡単な説明】
【００１６】
【図１】本発明の実施形態に係る画像処理装置の構成を示すブロック図である。
【図２】本発明の実施形態に係る画像処理装置のバックアップ回路の構成を示す図である。
【図３】本発明の実施形態に係る画像処理装置の機能構成を示すブロック図である。
【図４】本発明の実施形態に係る画像処理装置の第１の制御動作を示すフローチャートである。
【図５】本発明の実施形態に係る画像処理装置の制御動作の際に使用するパラメータの例を示す図である。
【図６】本発明の実施形態に係る画像処理装置の第２の制御動作を示すフローチャートである。
【図７】本発明の実施形態に係る画像処理装置の第３の制御動作を示すフローチャートである。
【図８】本発明の実施形態に係る画像処理装置の第４の制御動作を示すフローチャートである。
【図９】本発明の実施形態に係る画像処理装置の第５の制御動作を示すフローチャートである。
【図１０】本発明の実施形態に係る画像処理装置の第６の制御動作を示すフローチャートである。
【発明を実施するための形態】
【００１７】
以下に本発明の実施形態について、図面を用いて詳細に説明する。
【００１８】
図１は、本実施形態の構成を示すブロック図である。複写機本体の制御を行うシステムコントローラ２０と、ＦＡＸの送受信制御を行うＦＣＵ（FAX Control Unit）１０、外部と通信制御を行うＮＣＵ（Network Control Unit）１６を備えている。
【００１９】
また、システムコントローラ２０には、エンジン制御部（図示しない）、操作表示画面２４（図３）などが接続される。エンジン制御部は、原稿を光学的に走査してイメージデータに変換するスキャナ（図示しない）を備えた画像形成部で、電子写真やインクジェットの技術を用いて紙などに画像を印刷する。
【００２０】
また、エンジン制御部は、ＮＣＵ１６を介して受信したＦＡＸデータや、システムコントローラが持つ外部インターフェースを介して受信したプリントデータも同様に出力できる。
【００２１】
操作表示画面２４（図３）は操作者からの入力操作を受け付けるとともに、操作者に向けたメッセージ表示を行う。
【００２２】
ＦＣＵ１０は、制御部１１、システムメモリ１２、パラメータメモリ１３、システムメモリのバックアップ回路１４、モデム１５等を備えている。制御部１１と画像処理装置のシステムコントローラ２０、モデム１５とＮＣＵ１６はそれぞれ接続されている。
【００２３】
制御部１１は、システムメモリ１２内のプログラムに基づいて、ＦＣＵ１０の各部を制御する。システムメモリ１２は、ＦＣＵ１０としての基本プログラムを格納したり、各種プログラムを実行するためのワークメモリとして機能する。
【００２４】
パラメータメモリ１３は、ＦＣＵ１０に固有の各種情報を記憶する。モデム１５は、ＮＣＵ１６に送信するためデジタルデータをアナログ信号に変調する一方、ＮＣＵ１６を介して受信するアナログ信号をデジタルデータに復調する。
【００２５】
システムメモリ１２には、ＦＡＸジョブが格納される。ＦＡＸジョブとしては、ユーザが任意の時間を指定してＦＡＸ送信を行う、あるいは受信したＦＡＸデータを任意の時間に出力するジョブなどがある。
【００２６】
このジョブは、たとえば夜間に受信したＦＡＸデータを、朝にまとめて出力したいときに使われる。夜間に受信したデータを朝にまとめて出力することで、受信の度に省エネモードから復帰させる必要がなくなるため、不要な電力を削減することが可能となる。
【００２７】
ＦＡＸジョブを格納している間に停電が発生したり、あるいは電源ケーブルが抜けるなどして、突然装置の電源が切れた場合は、システムメモリ１２に格納されたＦＡＸジョブは全て消去されてしまうため、指定した時間に送信できなかったり、受信した文書が消去されてしまう。
【００２８】
バックアップ回路１４は、電源が切れた場合においても、システムメモリ１２内に格納されたＦＡＸジョブが消去されることがないように、電源が切断された場合は主電源から、２次電池へ切り替えが行われる。
【００２９】
停電や電源断はいつ発生するか予測できないため、ＦＡＸジョブとしてユーザが設定した時間は、何時２次電池に切り替わってもよいように、また切り替わった場合は、ＦＡＸ処理が開始される時間まで充電しておく必要がある。
【００３０】
図２は、本実施形態に係るバックアップ回路１４について説明する図である。電源としては、２次電池３０に充電するための充電用電源３１、および通常使用時にシステムメモリを動作させるために使用されるシステムメモリ電源３２がある。
【００３１】
まず、２次電池３０の充電方法について説明する。本バックアップ回路は、ツェナ−ダイオード３３により、充電電圧の制御を行う。ツェナ−ダイオード３３は逆方向電流が大きく、ＧＮＤ（グランド）３７に向けて通常数ｍＡ程度の電流が流れている。これがバックアップ回路にて消費される電流である。またダイオード３６を介して２次電池３０へ充電用の電流が流される。
【００３２】
次に電源断が発生した場合の、電源の切り替え方法について説明する。システムメモリ１２にＦＡＸジョブが格納されたことを検知すると、制御部１１（図１）が切り替え制御信号を出力し、切り替えスイッチ３４をＯＮにする。
【００３３】
２次電池３０用の充電用電源３１は、システムメモリ電源３２よりも容量が小さいため、この時点では２次電池３０からは電源が供給されない。電源が切断された場合、システムメモリ電源３２、および充電用電源３１は、ＯＦＦ状態となるが、このときに２次電池３０からシステムメモリ１２に電源が供給される。２次電池３０からの電源供給によりシステムメモリ１２内のデータがＯＦＦされることなくバックアップされる。
【００３４】
また、本バックアップ回路は、制御部１１（図１）にて２次電池３０の端子間電圧を観測して、２次電池３０の残量を監視することができる（図示しない）。
【００３５】
図３は、本実施形態の機能構成を示すブロック図である。充電手段２１は２次電池３０の充電を行う。２次電池３０は画像処理装置への電源が切断された場合に、副次的な電源を確保するものであり、システムメモリ１２に電源を供給する。
【００３６】
電池残量検出手段２２は端子間電圧を観測して、２次電池３０の残量を検出する。充電時間算出手段２３は、電池残量検出手段２２が検出した２次電池３０の残量と、ユーザ設定したＦＡＸの送受信時刻からＦＡＸジョブの内容滅失防止のために必要な２次電池３０の充電時間を算出する。
【００３７】
ユーザは操作表示画面２４により画像処理装置の操作を行う。送受信制御手段２５はＦＡＸの送受信の制御を行う。
【００３８】
まず、本実施形態に係る画像処理装置の第１の制御動作について説明する。
【００３９】
図４は、本実施形態に係る画像処理装置の第１の制御動作を示すフローチャートである。
【００４０】
以下、夜間に受信したＦＡＸを翌朝の午前７時にまとめて出力する設定をした場合を例として説明する。
【００４１】
まず、ユーザは操作表示画面２４（図３）より、ＦＡＸジョブの設定を行う（本件の例では夜間に受信したＦＡＸを翌朝の午前７時にまとめて出力する設定としている）（ステップＳ４０１）。制御部１１（図１）は、２次電池３０（図２）の端子間電圧から、２次電池３０の電池残量を確認する（ステップＳ４０２）。
【００４２】
また現在の時刻と実際にＦＡＸジョブを処理する時刻（ユーザがＦＡＸジョブの出力を指定した時間）を比較してＦＡＸジョブを保存しておかなければならない時間を算出し、２次電池３０（図２）の残量と保存しなければならない時間から、２次電池３０（図２）の充電要否、充電時間を決定する（ステップＳ４０３）。
【００４３】
充電要否、充電時間については、例えば、パラメータシート（電池の端子間電圧およびＦＡＸジョブ保存時間から充電の要否、充電時間を指定するもの）（図５）などをあらかじめ作成しておき、制御部１１（図１）はそれを参照して決定する。
【００４４】
パラメータの参照から２次電池３０（図２）の充電が必要と判断される場合は（ステップＳ４０４／ＹＥＳ）、充電用電源３１（図２）をＯＮにする（ステップＳ４０５）。そして、充電を開始して必要時間が経過した後（ステップＳ４０６）、充電用電源３１（図２）をＯＦＦにする（ステップＳ４０７）。なお、パラメータの参照から２次電池３０（図２）の充電が不要と判断される場合は（ステップＳ４０４／ＮＯ）、２次電池３０（図２）の充電は行われない。
【００４５】
次に本実施形態に係る画像処理装置の第２の制御動作について説明する。
【００４６】
ユーザがＦＡＸジョブを設定したとき、２次電池３０（図２）の残量が少なくなっている場合は、充電が完了するまでの間に停電が発生してしまうと、ユーザが指定する時間までＦＡＸジョブを保存しておくことができないケースがある。第２の制御動作では、この場合にあらかじめ操作表示画面２４（図３）で警告メッセージを表示し、その旨をユーザに知らせるようにしてもよい。
【００４７】
図６は、本実施形態に係る画像処理装置の第２の制御動作を示すフローチャートである。
【００４８】
ユーザは操作表示画面２４（図３）より、ＦＡＸジョブの設定（時間指定送信、時間指定受信など）を行う（ステップＳ６０１）。制御部１１（図１）は、２次電池３０（図２）の端子間電圧から、電池残量を確認する（ステップＳ６０２）。
【００４９】
また現在の時刻と実際にＦＡＸジョブを処理する時刻を比較して、ＦＡＸジョブを保存しなければならない時間を算出する。
【００５０】
制御部１１（図１）は、電池の残量とＦＡＸジョブを保存しなければならない時間から、２次電池３０（図２）の充電要否、充電時間を計算する。充電要否、充電時間については、たとえば、パラメータシートなどをあらかじめ作成しておき（図５）、制御部１１（図１）はそれを参照の上、決定する（ステップＳ６０３）。
【００５１】
充電が必要と判断される場合は（ステップＳ６０４／ＹＥＳ）、充電用電源３１（図２）をＯＮにする（ステップＳ６０５）。
【００５２】
システムコントローラ２０（図１）に接続された操作表示画面２４（図３）には、ユーザへ２次電池３０（図２）が充電中であること、および警告メッセージ（“機器の電源が切れた場合は、ＦＡＸ受信データ、送信データが消去される可能性があります。”等）を表示する（ステップＳ６０６）。
【００５３】
充電を開始して必要時間が経過した後（ステップＳ６０７）、充電用電源３１（図２）をＯＦＦにする（ステップＳ６０８）。なお、パラメータの参照から２次電池３０（図２）の充電が不要と判断される場合は（ステップＳ６０４／ＮＯ）、２次電池３０（図２）の充電は行われない。
【００５４】
次に本実施形態に係る画像処理装置の第３の制御動作について説明する。
【００５５】
ユーザがＦＡＸジョブの設定（時間指定送信、時間指定受信など）をした場合であっても、受信したＦＡＸデータを確実に取得することの方が設定したＦＡＸジョブ通りの実施よりも優先される。第３の制御動作では、２次電池３０（図２）の充電が間に合わない場合（停電が発生した場合に指定時間までバックアップが持たないと判断される場合）に、その場でＦＡＸ受信データを紙出力し、データの紛失を防止する。
【００５６】
図７は、本実施形態に係る画像処理装置の第３の制御動作を示すフローチャートである。
【００５７】
ユーザは操作表示画面２４（図３）より、ＦＡＸジョブの設定（時間指定送信、時間指定受信など）を行う（ステップＳ７０１）。制御部１１（図１）は、２次電池３０（図２）の端子間電圧から、電池残量を確認する（ステップＳ７０２）。
【００５８】
また現在の時刻と実際にＦＡＸジョブを処理する時刻を比較して、ＦＡＸジョブを保存しなければならない時間を算出する。
【００５９】
制御部１１（図１）は、電池の残量とＦＡＸジョブを保存しなければならない時間から、２次電池３０（図２）の充電要否、充電時間を計算する。充電要否、充電時間については、たとえば、パラメータシートなどをあらかじめ作成しておき（図４）、制御部１１（図１）はそれを参照の上、決定する（ステップＳ７０３）。
【００６０】
充電が必要と判断される場合は（ステップＳ７０４／ＹＥＳ）、充電用電源３１（図２）をＯＮにする（ステップＳ７０５）。
【００６１】
システムコントローラ２０（図１）に接続された操作表示画面２４（図３）には、ユーザへ２次電池３０（図２）が充電中であること、および警告メッセージ（“機器の電源が切れた場合は、ＦＡＸ受信データ、送信データが消去される可能性があります。”等）を表示する（ステップＳ７０６）。
【００６２】
充電に必要な時間の経過（充電完了）前にＦＡＸデータを受信したときは（ステップＳ７０７／ＹＥＳ）、受信したデータをシステムメモリ１２（図１）にバックアップせず、その場で紙にてＦＡＸ出力を行う（ステップＳ７０８）。
【００６３】
充電に必要な時間の経過（充電完了）前にＦＡＸデータを受信しなかったときは（ステップＳ７０７／ＮＯ）、充電を開始して必要時間が経過した後（ステップＳ７０９）、充電用電源３１（図２）をＯＦＦにする（ステップＳ７１０）。なお、パラメータの参照から２次電池３０（図２）の充電が不要と判断される場合は（ステップＳ７０４／ＮＯ）、２次電池３０（図２）の充電は行われない。
【００６４】
次に本実施形態に係る画像処理装置の第４の制御動作について説明する。
【００６５】
市場では、タイマー機能（時間を指定した送信または受信）を使用するユーザがいる。第４の制御動作では、毎日タイマー機能を使用するユーザについては、使用時に充電が足りないという場合にならないよう、あらかじめメモリにその使用状況を登録し、その時間にあわせて必要時間の充電完了しておく。
【００６６】
図８は、本実施形態に係る画像処理装置の第４の制御動作を示すフローチャートである。
【００６７】
ユーザは操作表示画面２４（図３）より、ＦＡＸジョブのタイマー設定（例えばＦＡＸ受信した文書をある時間にまとめて出力する等の設定）を行う（ステップＳ８０１）。制御部１１（図１）は、２次電池３０（図２）の端子間電圧から、電池残量を確認する（ステップＳ８０２）。
【００６８】
また現在の時刻と実際にＦＡＸジョブを処理する時刻を比較して、ＦＡＸジョブを保存しなければならない時間を算出する。
【００６９】
制御部１１（図１）は、電池の残量とＦＡＸジョブを保存しなければならない時間から、２次電池３０（図２）の充電要否、充電時間を計算する。充電要否、充電時間については、たとえば、パラメータシートなどをあらかじめ作成しておき（図５）、制御部１１（図１）はそれを参照の上、決定する（ステップＳ８０３）。
【００７０】
充電が必要と判断される場合は（ステップＳ８０４／ＹＥＳ）、充電用電源３１（図２）をＯＮにする（ステップＳ８０５）。
【００７１】
充電に必要な時間の経過後（充電完了後）（ステップＳ８０６）、充電用電源３１（図２）をＯＦＦにする（ステップＳ８０７）。なお、パラメータの参照から２次電池３０（図２）の充電が不要と判断される場合は（ステップＳ８０４／ＮＯ）、２次電池３０（図２）の充電は行われない。
【００７２】
制御部１１（図１）は、タイマー設定により、ＦＡＸジョブの存在は予め把握している。よって、タイマー設定された時刻に合わせて自動で充電を行うことで、必要時に充電時間が不十分となることを防止することができる。
【００７３】
次に本実施形態に係る画像処理装置の第５の制御動作について説明する。
【００７４】
システムメモリ１２（図１）にＦＡＸジョブを保存する場合、ＦＡＸジョブの数に係らずバックアップに使用する電力は同じである。同じ時間に複数の印刷ジョブの処理をすることでひとつのジョブのために電力を消費されることを減らすことができる。
【００７５】
図９は、本実施形態に係る画像処理装置の第５の制御動作を示すフローチャートである。
【００７６】
ユーザは操作表示画面２４（図３）より、ＦＡＸジョブのタイマー設定（例えばＦＡＸ受信した文書をある時間にまとめて出力する等の設定）を行う（ステップＳ９０１）。制御部１１（図１）は、２次電池３０（図２）の端子間電圧から、電池残量を確認する（ステップＳ９０２）。
【００７７】
また現在の時刻と実際にＦＡＸジョブを処理する時刻を比較して、ＦＡＸジョブを保存しなければならない時間を算出する。
【００７８】
制御部１１（図１）は、電池の残量とＦＡＸジョブを保存しなければならない時間から、２次電池３０（図２）の充電要否、充電時間を計算する。充電要否、充電時間については、たとえば、パラメータシートなどをあらかじめ作成しておき（図５）、制御部１１（図１）はそれを参照の上、決定する。
【００７９】
複数のＦＡＸジョブが命令されている場合、制御部１１（図１）は既に命令されている複数のＦＡＸジョブの内容と２次電池３０（図２）の残量から最適な充電時間（例えば複数のＦＡＸジョブの内、一番後の時刻に設定されているＦＡＸジョブのバックアップに必要な充電時間）を計算する（ステップＳ９０３）。
【００８０】
充電が必要と判断される場合は（ステップＳ９０４／ＹＥＳ）、充電用電源３１（図２）をＯＮにする（ステップＳ９０５）。
【００８１】
充電に必要な時間の経過後（充電完了後）（ステップＳ９０６）、充電用電源３１（図２）をＯＦＦにする（ステップＳ９０７）。なお、パラメータの参照から２次電池３０（図２）の充電が不要と判断される場合は（ステップＳ９０４／ＮＯ）、２次電池３０（図２）の充電は行われない。
【００８２】
本制御動作によれば、複数のＦＡＸジョブが命令されている場合にも、最適な充電のみを選択し、複数ＦＡＸジョブ実行に必要な充電のみを自動で行うことが可能となる。
【００８３】
次に本実施形態に係る画像処理装置の第６の制御動作について説明する。
【００８４】
節電モード時の使用電力は通常時よりも低電力である必要がある。そのため２次電池の充電電力をＯＦＦにする必要がある。また通常の節電モードよりも更に使用電力の節電をする節電モードへ移行する場合は制御部１１（図１）についてもＯＦＦにする場合が考えられる。
【００８５】
よって、節電モードへ移行されてしまうと、２次電池３０（図２）への充電が必要であっても、充電ができなくなってしまう。充電ができなくなることを回避するため、節電モード移行時に２次電池３０（図２）の電圧をチェックし、節電モードへの移行が問題ないことを確認してから充電用電源３１（図２）をＯＦＦにする。
【００８６】
図１０は、第６の実施形態に係る画像処理装置の制御動作を示すフローチャートである。
【００８７】
ユーザは操作表示画面２４（図３）より、ＦＡＸジョブのタイマー設定（例えばＦＡＸ受信した文書をある時間にまとめて出力する等の設定）を行う（ステップＳ１００１）。制御部１１（図１）は、２次電池３０（図２）の端子間電圧から、電池残量を確認する（ステップＳ１００２）。
【００８８】
また現在の時刻と実際にＦＡＸジョブを処理する時刻を比較して、ＦＡＸジョブを保存しなければならない時間を算出する。
【００８９】
制御部１１（図１）は、電池の残量とＦＡＸジョブを保存しなければならない時間から、２次電池３０（図２）の充電要否、充電時間を計算する。充電要否、充電時間については、たとえば、パラメータシートなどをあらかじめ作成しておき（図５）、制御部１１（図１）はそれを参照の上、決定する（ステップＳ１００３）。
【００９０】
充電が必要と判断される場合は（ステップＳ１００４／ＹＥＳ）、充電用電源３１（図２）をＯＮにする（ステップＳ１００５）。
【００９１】
充電が完了する前にシステムコントローラ２０（図１）からＦＣＵ１０（図１）へ節電モード命令がきた場合は（ステップＳ１００６）、制御部１１（図１）は、節電モードへの移行を拒否する（ステップＳ１００７）。
【００９２】
充電完了後（ステップＳ１００８）、充電用電源３１（図２）をＯＦＦにし（ステップＳ１００９）、節電モードへの移行を許可する（ステップＳ１０１０）。その後、ＦＣＵ１０は節電モードへ移行する（ステップＳ１０１１）。なお、パラメータの参照から２次電池３０（図２）の充電が不要と判断される場合は（ステップＳ１００４／ＮＯ）、２次電池３０（図２）の充電は行われない。
【００９３】
上述した実施形態は以下のようにすることもできる。
【００９４】
本実施形態の画像処理装置は、画像処理装置の操作を行う操作表示画面を更に有し、電池への充電状況および警告を前記操作表示画面に表示することを特徴とする。
【００９５】
本実施形態の画像処理装置は、ファクシミリの送受信実施を制御する送受信制御手段を更に有し、送受信制御手段は、電池への充電完了前に前記ファクシミリが受信した場合には、受信時にファクシミリの受信内容を紙出力させることを特徴とする。
【００９６】
本実施形態の画像処理装置は、充電時間算出手段は、ファクシミリの送受信時刻の設定が複数されている場合には、充電効率の点から最適な時刻を選択し、最適な時刻の送受信実施に必要な電池の充電時間を算出し、送受信制御手段は、充電時間算出手段が選択した最適な時刻にファクシミリの複数の送受信を実施することを特徴とする。
【００９７】
本実施形態の画像処理装置は、送受信制御手段は、電池への充電完了前に充電電力切断の指示がされた場合は、電池への充電完了後にユーザが指定したファクシミリの送受信を実施することを特徴とする。
【００９８】
本実施形態の画像処理装置は、ＦＡＸ機能がついた画像処理装置において、ＦＡＸのジョブをバックアップするための電池を搭載しており、また、電池の電圧検出手段をもつ画像処理装置において、前記検出手段で検出された電池の電圧から電池の残量とＦＡＸジョブの内容より、ＦＡＸジョブを保存しておかなければならない時間を算出し、電池の充電要否、充電を必要とする場合は、必要充電時間を算出して、充電に必要時間のみ充電する制御手段を備えたことを特徴とする。
【００９９】
本実施形態の画像処理装置は、操作表示画面にてＦＡＸジョブを設定したときに、操作表示画面上に電池の充電状況、および、充電処理が必要な場合は、ユーザへ警告メッセージ表示することを特徴とする。
【０１００】
本実施形態の画像処理装置は、充電を開始してから、必要時間が経過する前にＦＡＸデータを受信した場合は、受信したデータをその場で紙出力することを特徴とする。
【０１０１】
本実施形態の画像処理装置は、ユーザの使用状況（タイマー設定）をメモリに登録して、ユーザの使用環境にあわせて、自動で必要時間、充電完了させることを特徴とする。
【０１０２】
本実施形態の画像処理装置は、ＦＡＸジョブ内容で指定時間が近い場合は処理を変更することを特徴とする。
【０１０３】
本実施形態の画像処理装置は、省エネモード移行時に電池の残量を確認して、充電されていることを確認してから省エネモードへ移行することを特徴とする。
【０１０４】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体的に様々な修正および変更が可能である。
【符号の説明】
【０１０５】
１０    ＦＣＵ（FAX Control Unit）
１１    制御部
１２    システムメモリ
１３    パラメータメモリ
１４    バックアップ回路
１５    モデム
１６    ＮＣＵ（Network Control Unit）
２０    システムコントローラ
２１    充電手段
２２    電池残量検出手段
２３    充電時間算出手段
２４    操作表示画面
２５    送受信制御手段
３０    ２次電池
３１    システムメモリ電源
３２    充電用電源
３３    ツェナーダイオード
３４    切り替えスイッチ
３６    ダイオード
３７    ＧＮＤ（グランド）
【先行技術文献】
【特許文献】
【０１０６】
【特許文献１】特開２００５−６３９６号公報
【図１】
2012195768.tif 000003
【図２】
2012195768.tif 000004
【図３】
2012195768.tif 000005
【図４】
2012195768.tif 000006
【図５】
2012195768.tif 000007
【図６】
2012195768.tif 000008
【図７】
2012195768.tif 000009
【図８】
2012195768.tif 000010
【図９】
2012195768.tif 000011
【図１０】
2012195768.tif 000012